(57)【要約】【課題】ロール紙からの用紙の繰出し不良の発生をなくし、印字に支障をきたすことがないようにすると共に印字した用紙を規定の長さに確実にカットできるようにする。【解決手段】サイドフレーム３、４間へのロール紙８、９のセット後、ストッパーアーム２４の前部がサイドフレーム４に接する位置に戻ることでストッパーアーム２４の先部上下に形成したストッパー部がサイドフレーム４に形成した逃げ孔からサイドフレーム４の内側に入り込んで繰出し位置側にセットされているロール紙８に待機位置側のロール紙９が当たらないようにロール紙９に接触して押えるようにした。【選択図】図１
2010285245.tif 000002
【特許請求の範囲】
【請求項１】
対向するサイドフレーム間に少なくとも２巻のロール紙を径方向に並べて収納すると共に、そのうちの１巻は繰出し位置に、他のロール紙は繰出し位置後方の待機位置に装着し、前記繰出し位置に装着されたロール紙から用紙を繰出して処理部に搬送するロール紙装着機構において、
一方のサイドフレームの外側に沿って配置したストッパーアームの先部がそのサイドフレームに対して先部が接離可能となるように該ストッパーアームの後部を前記一方のサイドフレームに回動可能に支持すると共に該ストッパーアームの先部にストッパー部を前記一方のサイドフレーム側に突出させて形成し、前記一方のサイドフレームに前記ストッパー部が出入可能とする逃げ孔を設けて、前記ストッパー部をそれぞれ前記逃げ孔から前記一方のサイドフレームの内側に進入させることで、前記待機位置に装着されたロール紙を前記ストッパー部で抑えて繰出し位置に装着されたロール紙側に移動しないようにしたことを特徴とするロール紙装着機構。
【請求項２】
請求項１において、前記待機位置にロール紙を載せるアームを設け、
前記ストッパーアームおよび前記ロール紙を載せるアームをそれぞれの駆動伝達機構により同一駆動源に連結し、
該駆動源により前記ストッパーアームの上下のストッパー部が前記一方のサイドフレームの逃げ孔から前記サイドフレームの外側に退避するように前記ストッパーアームの回動と、前記待機位置のロール紙を繰出し位置に移動させるアームの回動とを連動可能にしたことを特徴とするロール紙装着機構。
【発明の詳細な説明】
【技術分野】
【０００１】
本発明は、複数のロール紙を径方向に並べてサイドフレーム間に収納して装着するロール紙装着機構に関する。
【背景技術】
【０００２】
例えば、顧客の操作により取引を行う現金自動取引装置は、取引終了時に明細票印字部によりレシートの取引内容を印字して顧客に発行するが、このような現金自動取引装置では、所定の長尺用紙をロール状に巻き付けられたロール紙を装着し、このロール紙から用紙を繰出して規定の長さにカットすることによりレシートとして明細票印字部に搬送するようにしている。
このような現金自動取引装置に用いられる従来のロール紙装着機構として、複数のロール紙を互いに接触しないように径方向に並べてサイドフレーム間に装着保持し、繰出し部側のロール紙を使い切ると後続のロール紙を繰出し部側に送って印字に使用するものがある（例えば、特許文献１参照）。
【先行技術文献】
【特許文献】
【０００３】
【特許文献１】特開平７−１０３３０号公報
【発明の概要】
【発明が解決しようとする課題】
【０００４】
しかしながら、上述した従来の技術においては、外部から加えられる衝撃等によって繰り出し部側のロール紙の後方に装着されているロール紙の位置がずれて繰出し部側のロール紙に当接することがあり、このような場合、用紙の繰出し不良を生じ、その結果、印字に支障をきたし、用紙を規定の長さにカットすることも困難になるという問題がある。
【０００５】
本発明は、このような問題を解決することを課題とする。
【課題を解決するための手段】
【０００６】
そこで本発明は、対向するサイドフレーム間に少なくとも２巻のロール紙を径方向に並べて収納すると共に、そのうちの１巻は繰出し位置に、他のロール紙は繰出し位置後方の待機位置に装着し、前記繰出し位置に装着されたロール紙から用紙を繰出して処理部に搬送するロール紙装着機構において、一方のサイドフレームの外側に沿って配置したストッパーアームの先部がそのサイドフレームに対して先部が接離可能となるように該ストッパーアームの後部を前記一方のサイドフレームに回動可能に支持すると共に該ストッパーアームの先端上下にストッパー部を前記一方のサイドフレーム側に突出させて形成し、前記一方のサイドフレームに前記上下のストッパー部が出入可能とした逃げ孔を設けて、前記上下のストッパー部をそれぞれ前記逃げ孔から前記一方のサイドフレームの内側に進入させることで、前記待機位置に装着されたロール紙を前記上下のストッパー部で抑えて繰出し位置に装着されたロール紙側に移動しないようにしたことを特徴とする。
【発明の効果】
【０００７】
このようにした本発明は、ストッパー部が逃げ孔からサイドフレームの内側に入り込んで繰出し位置側にセットされているロール紙に待機位置側のロール紙が当接しないように待機位置側を押えるため、ロール紙装着機構に外部から衝撃等が加えられても、繰出し位置側のロール紙の後方に装着されているロール紙の位置がずれて繰出し位置側のロール紙に当接することがなく、その結果、用紙の繰出し不良の発生をなくすことができることになり、印字に支障をきたすことがなくなると共に印字した用紙を規定の長さに確実にカットすることができるという効果が得られる。
【０００８】
また、装置の異常動作や装置事故が発生してロール紙を除去することが必要な場合、ストッパーアームを押すことでストッパーアームの位置を動かすことによりストッパー部が逃げ孔から抜けてストッパーは解除され、オペレータ操作によって、ロール紙を除去することができるという効果もある。
【図面の簡単な説明】
【０００９】
【図１】実施例１を示す平面図
【図２】正面図
【図３】斜視図
【図４】実施例を用いる現金自動取引装置の説明図
【図５】現金自動取引装置のブロック図
【図６】逃げ孔が分割していない場合の動作の平面説明図
【図７】逃げ孔が分割していない場合の動作の側面説明図
【図８】逃げ孔が分割していない場合のロール紙が傾いた場合の動作の説明図
【図９】動作の斜視説明図
【図１０】実施例２を示す平面図
【図１１】正面図
【図１２】斜視図
【図１３】手動動作の平面説明図
【図１４】手動動作の正面説明図
【発明を実施するための形態】
【００１０】
以下、図面を参照して本発明による実施例を説明する。
【実施例１】
【００１１】
図１は実施例１を示す平面図、図２は正面図、図３は斜視図、図４は現金自動取引装置の外観説明図、図５は現金自動取引装置の構成を示すブロック図である。
【００１２】
図５において、１は現金自動取引装置（以下、ＡＴＭという。）であり、レシートに取引内容の印字処理を行う明細票印字部１０の他に、ＡＴＭ全体を制御する制御部１１、通信回線への通信部１２、取引に必要なデータや制御部１１が実行する制御のプログラムを格納する記憶部１３、タッチパネルを有する顧客操作部１４、カード取扱部１５、通帳取扱部１６、取引を行った際にジャーナル用紙に取引結果を印字するジャーナルプリンタ部１７、紙幣入出金部１８、硬貨入出金部１９等を有する。
【００１３】
ＡＴＭ１の正面には、図４に示す如く、顧客操作部１４、カード取扱部１５のカード挿入排出口１５ａ、通帳取扱部１６の通帳挿入排出口１６ａ、紙幣入出金部１８の紙幣入出金口１８ａ、硬貨入出金部１９の硬貨入出金口１９ａ等が設けられている。
【００１４】
前記明細票印字部１０には、図１〜図３に示す如く、実施例のロール紙装着機構が設けられ、このロール紙装着機構の対向する２枚のサイドフレーム３、４間に複数（図では２巻）の感熱紙等によるロール紙８、９が径方向にほぼ水平に並べてセット（装着）できる構造になっている。ロール紙８、９は長尺の感熱紙等をロール状に巻き付けたものであり、ロール紙８がセットされた繰出し位置の下部には、ロール紙８を回転させながら搬送する搬送ベルト２０とこの搬送ベルト２０によりロール紙８から繰出される感熱紙等の先端８ａを剥離するための剥離爪３１が設けてある。
【００１５】
また、明細票印字部１０は、感熱紙に熱印字する印字ヘッド（本実施例ではサーマルヘッド）６と、この印字ヘッド６に対向配置したプラテンローラ２２と、前記剥離爪３１により剥離されたロール紙８の先端８ａを印字ヘッド６とプラテンローラ２２の間に導くようにガイドする搬送ガイド５を有し、さらに、印字後の感熱紙を規定の長さにカットするカッター７が、感熱紙搬送方向における印字ヘッド６の下流側に設けてあり、このカッター７でカットされた印字後の感熱紙はレシートとして図示しないレシート排出口から顧客に発行されるようになっている。
【００１６】
なお、搬送ベルト２０は、ギア等による駆動伝達機構を介してパルスモータ２１により駆動され、プラテンローラ２２はギア等による駆動伝達機構を介してパルスモータ２３により駆動される。
【００１７】
一方、ロール紙装着機構には、サイドフレーム３、４間にセットされた１巻目のロール紙８と２巻目のロール紙９をそれぞれ検知するためのセンサＳ２、センサＳ３がそれぞれ配置されている。このロール紙８、ロール紙９をそれぞれ検知するためのセンサＳ２、センサＳ３はロール紙のセット数に応じて配置される。配置されたセンサＳ２、センサＳ３は制御部１１に接続され、センサＳ２、センサＳ３の出力変化によってロール紙８およびロール紙９の有／無をそれぞれ検知する。
【００１８】
また、一方のサイドフレーム４の外側に沿ってストッパーアーム２４が設けてある。このストッパーアーム２４は、先部がサイドフレーム４に対して接離可能となるように後部がサイドフレーム４に回動可能に支持されていて、モータ２５によりギア、リンク等の駆動伝達機構を介して図１に示す矢印Ａ方向に動くようになっている。
【００１９】
そして、ストッパーアーム２４の先部上下には分割してサイドフレーム４に向けてストッパー部２４ａ、２４ｂを突出形成し、サイドフレーム４のロール紙８、９間に位置する箇所にはストッパー部２４ａ、２４ｂがサイドフレーム４の内側に出入可能となる逃げ孔４ａ、４ｂが上下に分割して設けてある。
【００２０】
ストッパーアーム２４に形成された上下２個所のストッパー部２４ａ、２４ｂは逃げ孔４ａ、４ｂからサイドフレーム４の内側に入り込んだ状態ではサイドフレーム３、４間にセットされたロール紙８とロール紙９の間に位置し、後部側のロール紙９に接触して前部側の繰出し位置側にセットされているロール紙８にロール紙９が転がって当接するのを阻止している。
【００２１】
センサＳ２の出力に基づいて制御部１１がロール紙８がないと判断したとき、モータ２５によりストッパーアーム２４は図１に２点鎖線で示した位置２４Ａまで移動してストッパー部２４ａ、２４ｂが逃げ孔４ａ、４ｂから抜け、これによりロール紙９はストッパー部２４ａ、２４ｂから解放されて１巻目のロール紙８のセット位置つまり繰出し位置まで移動することができるようになっている。なお、ロール紙９は繰出し位置に移動できるようにロール紙を保持するアーム３０上にセットされる。
【００２２】
以下に上記構成の作用を説明する。
【００２３】
ＡＴＭ１を運用するにあたり、まず、ロール紙８、ロール紙９を明細票印字部１０に設けられたロール紙装着機構のサイドフレーム３、４間にセットする。
セットされたロール紙８は繰出し位置に設けられた搬送ベルト２０上に載り、ロール紙９は待機位置に設けられたアーム３０上に載る。
【００２４】
ロール紙８、９をセットした後、ロール紙８の先端８ａを印字ヘッド６まで到達させるためにパルスモータ２１により搬送ベルト２０を駆動し、パルスモータ２３によりプラテン２２を回転させる。いずれのパルスモータ２１、２３もロール紙８が図２に示す矢印Ｃ方向に回転するように回転させる。
【００２５】
ロール紙８が回転しながらその先端８ａが剥離爪３１に到達すると、先端８ａはロール紙８から剥離される。剥離された後もパルスモータ２１、２３は回転し続けることでロール紙８から感熱紙が繰り出され、その先端８ａが、印字ヘッド６とプラテン２２に挟まれると印字ヘッド６によって感熱紙に取引内容が印字される。印字が終了すると、感熱紙は一定長さだけ送られてカッター７でカットされた後、レシートとして図示しないレシート排出口から顧客に発行される。
【００２６】
このようなレシートの発行が繰り返され、センサＳ２の出力に基づいて制御部１１がロール紙８がないと判断したとき、モータ２５によってストッパー２４はストッパー２４Ａの位置まで動く。これによって、ロール紙９は１巻目のロール紙８がセットされていた繰出し位置まで移動することができる。ロール紙９は図示しないモータにより図示しない駆動機構を介してアーム３０を回転させることによって待機位置から繰出し位置まで移動させる。
【００２７】
ところで、本実施例において、ロール紙８、９をロール紙装着機構のサイドフレーム３、４間にセットする際、モータ２５によりストッパーアーム２４は２点鎖線で示す位置２４Ａの位置まで動いて前部がサイドフレーム４から離れることでストッパー部２４ａ、２４ｂが逃げ孔４ａ、４ｂから抜け、ロール紙８、９のセット後、モータ２５の逆転により前部がサイドフレーム４に接する位置に戻ることでストッパー部２４ａ、２４ｂが逃げ孔４ａ、４ｂからサイドフレーム４の内側に入り込んで繰出し位置側にセットされているロール紙８に後部の待機位置のロール紙９が当接しないようにロール紙９に接触して押える。
【００２８】
そのため、ロール紙装着機構等に外部から衝撃等が加えられても、待機位置に装着されているロール紙９の位置がずれて繰出し側のロール紙８に接触することがなく、その結果、感熱紙の繰出し不良の発生をなくすことができ、印字に支障をきたすことがなくなると共に繰出し量に狂いを生じさせることがなくレシートとなる感熱紙を規定の長さに確実にカットすることができるという効果が得られる。
【００２９】
また、ストッパーアーム２４には前部上下に分割してストッパー部２４ａ、２４ｂが形成され、これに対応してサイドフレーム４の該当箇所には逃げ孔４ａ、４ｂを分割して設けてある。
【００３０】
ところが、図７に示す如く、ストッパー２４の前部に一つの縦長のストッパー部２４ｄを形成すると、サイドフレーム４に設ける逃げ孔４ｃも縦に長い一つの長孔となり、そのために、ロール紙９を繰出し位置側に移動させる際、図６に示す如くロール紙９が傾いて移動したりすると、図８に示す如く逃げ孔４ｃにロール紙９が引っかかることになる。
【００３１】
そこで、上記実施例の如く、ストッパー２４のストッパー部２４ａ、ストッパー部２４ｂを上下に分割して形成することにより、サイドフレーム４の逃げ孔４ａ、逃げ孔４ｂも分割して形成することができ、それによってロール紙９を待機位置から繰出し位置側に移動させる際に、ロール紙９が傾いても逃げ孔４ａ、４ｂにひっかかるようなことがなく、ロール紙９を繰出し位置側にスムーズに移動させることが可能になり、装置故障による稼働停止を招くようなことがなくなる。
【００３２】
また、ＡＴＭ１を運用するにあたっては、ロール紙８をサイドフレーム３、４間にセットし、このロール紙８のセット後、ロール紙８の先端８ａが印字ヘッド６とプラテン２２に挟まれると印字ヘッド６によって印字される。
このようなＡＴＭ１の運用中において、ロール紙８の残量を目視確認する場合、視認性が重要である。
【００３３】
前記ストッパーアーム２４は、ストッパー部２４ａ、ストッパー２４ｂ部を上下に分割して形成しないと、ストッパーアーム２４がロール紙８全体を隠す形状となり、矢印Ｄ方向からのロール紙８の視認性が悪い。そこで、ストッパーアーム２４は、ストッパー部２４ａ、ストッパー２４ｂ部を上下に分割して形成することにより、図９に示す如く矢印Ｄ方向からのロール紙８の視認性を良好にして残量確認の運用性を向上させることができる。
【実施例２】
【００３４】
図１０は実施例２を示す平面図、図１１は正面図、図１２は斜視図であり、ＡＴＭ１において、ロール紙装着機構は、前記の如く、明細票印字部１０は、ロール紙８、９のセット位置を決める２枚のサイドフレーム３、４、ロール紙８から先端８ａを剥離するための剥離爪３１、ロール紙８から剥離した先端８ａを搬送する搬送ベルト２０、ロール紙９を載せるアーム３０およびストッパーアーム２４等を備える。
【００３５】
明細票印字部１０は、搬送ガイド５、ロール紙８、９から繰出される感熱紙に印字するための印字ヘッド６、印字ヘッドに対向配置したプラテンローラ２２、印字後の感熱紙を規定の長さに切断してレシートとするためのカッター７および図示しないレシート排出口等を備えている。
【００３６】
前記ロール紙８を搬送するための搬送ベルト２０は、ギア等による駆動伝達機構を介してパルスモータ２１により駆動される。
前記印字ヘッド６は、図５に示す如く、制御部１１により制御されてプラテンローラ２２と印字ヘッド６間に送られてくる感熱紙に印字する。このとき、対向配置したプラテンローラ２２はギア等による駆動伝達機構を介してパルスモータ２３により駆動される。
【００３７】
カッター７は制御部１１により制御され、印字された感熱紙を規定の長さに切断する。
【００３８】
ロール紙装着機構にはサイドフレーム３、４間にセットされた１巻目のロール紙８と２巻目のロール紙９をそれぞれ検知するためのセンサＳ２、センサＳ３がそれぞれ配置されている。このロール紙８、ロール紙９等を検知するセンサＳ２、センサＳ３はロール紙のセット数に応じて配置される。配置されたセンサＳ２、センサＳ３は制御部１１に接続され、センサＳ２、センサＳ３の出力変化によってロール紙８、ロール紙９の有／無をそれぞれ検知する。
【００３９】
サイドフレーム４にはストッパーアーム２４が回転可能に支持されており、このストッパーアーム２４の前部上下に形成したストッパー部２４ａ、２４ｂが、サイドフレーム４に設けた逃げ孔４ａ、４ｂからサイドフレーム４の内側に入り込んで繰出し位置側にセットされているロール紙８に後部側のロール紙９が当接しないように、ロール紙９に接触して押えるようになっている。さらに、ストッパーアーム２４の回転支持部より後方には曲折後部２４ｅがサイドフレーム３、４間に入り込むように設けてある。
また、モータ２５がギア２９および図示しない駆動伝達機構を介してアーム３０を駆動するものとしている。
【００４０】
このような構成において、センサＳ２の出力に基づいて制御部１１がロール紙８がないと判断したとき、モータ２５を駆動してギア２６および図示しないリンク等の駆動伝達機構によりシャフト２７を図１１に示す如く矢印Ｂ方向に回転させ、図１３に示す如く、シャフト２７に固定されたリンク２８がストッパーアーム２４の回転支持部より後方に設けてある曲折後部２４ｅに接触して矢印Ｅ方向に押すことで、ストッパーアーム２４を矢印Ａ方向に回転させて２点鎖線で示す位置２４Ａまで移動させることによりストッパー部２４ａ、２４ｂを逃げ孔４ａ、４ｂからサイドフレーム４の外側に退避させる。
【００４１】
上記動作に加え、本実施例では、前記モータ２５の駆動により、図１４に示す如く、ギアやリンク等による図示しない駆動伝達機構を介して支点３０ａを回転中心としたロール紙を保持するアーム３０を回動させて（起こして）ロール紙９を１巻目セット位置まで移動させる。このようにモータ２５によってストッパーアーム２４およびアーム３０の両方を連動駆動してロール紙９を確実に移動させる。
【００４２】
以上の実施例２によると、前記実施例１と同様にストッパーアーム２４のストッパー部２４ａ、２４ｂが繰り出し位置側にセットされているロール紙８に後部側のロール紙９が当接しないように、ロール紙９に接触して押えるために、ロール紙装着機構等に外部から衝撃等が加えられても、待機位置に装着されているロール紙９の位置がずれて繰出し側のロール紙８に接触することがなく、その結果、感熱紙の繰出し不良の発生をなくすことができ、印字に支障をきたすことがなくなると共にレシートとなる感熱紙を規定の長さに確実にカットすることができるという効果が得られる。
【００４３】
また、ロール紙９を待機位置に保持するストッパーアーム２４の駆動とロール紙９を待機位置から繰出し位置に移動させるアーム３０を同一駆動源としたモータ２５で駆動するようにしているため、ロール紙装着機構を小型化することができ、装置内への実装スペースを小さくすることができ装置内への組み付けが容易となるという効果がある。
【００４４】
また、ＡＴＭにおいては、装置の異常動作や装置事故が発生してロール紙８を除去することが必要な場合がある。その場合、ロール紙８は後方の待機位置に移動させて除去するため、ストッパーアーム２４を２点鎖線で示す位置２４Ａまで退避させる必要がある。このような場合、図１３、図１４に示す如く、リンク２８を手動によってストッパーアーム２４の曲折後部２４ｅに接触させ、矢印Ｆ方向に押すことでストッパーアーム２４の位置を２４Ａに動かすことによりストッパー部２４ａ、２４ｂが逃げ孔４ａ、４ｂから抜くことができるため、オペレータ操作によりロール紙８を待機位置に移動して除去することが可能となる。
【００４５】
このように、本実施例は、ロール紙９の移動を防止するためのストッパーアームの移動を手動によって行うことができるようにしたことにより、装置の異常動作や装置事故時でもロール紙除去をオペレータが任意に行うことができるという効果もある。
【００４６】
なお、上記各実施例ではＡＴＭに実装されるロール紙装着機構について説明したが、本発明はこれに限られるものではなく、例えば、各種定期券や乗車券あるいは各種イベント等の入場券等を発券する発券装置のロール紙装着機構としても適用可能である。
【００４７】
また、使用するロール紙は感熱紙に限らず、各種の券に利用される用紙（磁気ストライプを有する用紙も含む。）を適用対象とすることができ、さらに、ロール紙から繰出される用紙に対して処理を行う処理部は取引明細を印字する印字部に限らず、インクやトナー等を用いる印字部あるいは磁気データの書き込みを行う磁気記録部の処理部であってもよい。
【符号の説明】
【００４８】
１    現金自動取引装置
３、４    サイドフレーム
４ａ、４ｂ    逃げ孔
５    搬送ガイド
６    印字ヘッド
７    カッター
８、９    ロール紙
８ａ    ロール紙の先端
１０    明細票印字部
１１    制御部
１２    通信部
１３    記憶部
１４    顧客操作部
１５    カード取扱部
１６    通帳取扱部
１７    ジャーナルプリンタ部
１８    紙幣入出金部
１９    硬貨入出金部
２０    搬送ベルト
２１    パルスモータ
２２    プラテンローラ
２３    パルスモータ
２４    ストッパーアーム
２４ａ、２４ｂ    ストッパー部
２４ｅ    曲折後部
２５    モータ
２６    ギア
２７    シャフト
２８    リンク
２９    ギア
３０    アーム
３１    剥離爪
Ｓ１、Ｓ２、Ｓ３    センサ
【図１】
2010285245.tif 000003
【図２】
2010285245.tif 000004
【図３】
2010285245.tif 000005
【図４】
2010285245.tif 000006
【図５】
2010285245.tif 000007
【図６】
2010285245.tif 000008
【図７】
2010285245.tif 000009
【図８】
2010285245.tif 000010
【図９】
2010285245.tif 000011
【図１０】
2010285245.tif 000012
【図１１】
2010285245.tif 000013
【図１２】
2010285245.tif 000014
【図１３】
2010285245.tif 000015
【図１４】
2010285245.tif 000016